(57)【要約】      （修正有）【課題】ヨーモーメント制御からトラクション制御へ移行するとき、車両挙動の安定化を確保する。【解決手段】左右の駆動輪５Ｌ，５Ｒへ伝達される駆動トルクを異ならせることが可能な駆動系を有し、左右の駆動輪５Ｌ，５Ｒへの駆動トルクに差をつけて車両挙動をコントロールするビークルコントロールモジュール１と、左右の駆動輪５Ｌ，５Ｒの一方にスリップが発生し、実スリップ値がTCS（駆動輪スリップを抑えるトラクション制御）作動閾値以上であると判定されると、実スリップ値がTCS制御目標値に収束するように駆動輪への駆動トルクを低減する制御を開始するモータコントローラ２と、を備える。この車両の駆動トルク制御装置Ａにおいて、モータコントローラ２は、左右駆動トルク差によるヨーモーメント制御中にスリップが発生した際に、TCS作動閾値及びTCS制御目標値を、左右駆動トルク差がゼロの時の値よりも小さな値にする。【選択図】図１
2016111878.tif 000002
【特許請求の範囲】
【請求項１】
左右の駆動輪へ伝達される駆動トルクを異ならせることが可能な駆動系を有し、
前記左右の駆動輪への駆動トルクに差をつけて車両挙動をコントロールするヨーモーメント制御手段と、
前記左右の駆動輪の一方にスリップが発生し、実スリップ値がTCS作動閾値以上であると判定されると、実スリップ値がTCS制御目標値に収束するように駆動輪への駆動トルクを低減する制御を開始するトラクション制御手段と、
を備えた車両の駆動トルク制御装置において、
前記トラクション制御手段は、左右駆動トルク差によるヨーモーメント制御中、又は、左右駆動トルク差によるヨーモーメント制御中にスリップが発生した際に、前記TCS作動閾値及び前記TCS制御目標値を、左右駆動トルク差がゼロの時の値よりも小さな値にする
ことを特徴とする車両の駆動トルク制御装置。
【請求項２】
請求項１に記載された車両の駆動トルク制御装置において、
前記トラクション制御手段は、ヨーモーメント制御中にスリップが発生した際にトラクション制御を開始する前記TCS作動閾値を、左右駆動トルク差を解除する閾値としてヨーモーメント制御側で設定されたスリップ判定閾値にする
ことを特徴とする車両の駆動トルク制御装置。
【請求項３】
請求項１又は請求項２に記載された車両の駆動トルク制御装置において、
前記トラクション制御手段は、ヨーモーメント制御中にドライバによるアクセル踏み増し介入により駆動輪スリップが判定されると、左輪指令トルクと右輪指令トルクのうち低い方のトルクを高い方のトルクまで高め、トルク差の無い左右輪指令トルクをトラクション制御の開始トルクとする左右輪指令トルク演算部を有する
ことを特徴とする車両の駆動トルク制御装置。
【請求項４】
請求項３に記載された車両の駆動トルク制御装置において、
ドライバのアクセル操作によるアクセル開度に応じた目標駆動トルクをドライバ期待トルクというとき、
前記トラクション制御手段は、前記TCS制御目標値として、前記TCS作動閾値より低く下げた値を初期目標値とし、前記左右輪指令トルクが、前記ドライバ期待トルクに到達するまで初期目標値を保持し、前記ドライバ期待トルクに到達すると、初期目標値から許容可能なTCS制御目標値に向かって上げるTCS制御目標値決定部を有する
ことを特徴とする車両の駆動トルク制御装置。
【請求項５】
請求項３又は４に記載された車両の駆動トルク制御装置において、
前記トラクション制御手段は、実スリップ値と前記TCS制御目標値との偏差に基づくフィードバック制御によりFBトルクダウン分を算出するFB制御動作部を有し、
前記左右輪指令トルク演算部は、前記FBトルクダウン分を除いた左右輪指令トルクとして、前記フィードバック制御の開始から制御安定化が確認されるまで前記開始トルクを維持し、前記フィードバック制御の安定化が確認されたら、前記開始トルクから前記ドライバ期待トルクまで高める
ことを特徴とする車両の駆動トルク制御装置。
【請求項６】
請求項５に記載された車両の駆動トルク制御装置において、
前記左右輪指令トルク演算部は、前記左右輪指令トルクを、前記開始トルクから前記ドライバ期待トルクまで高めるときの上昇傾きを、路面摩擦係数が低いと緩勾配の傾きに決定し、路面摩擦係数が高くなるほど急勾配の傾きにする
ことを特徴とする車両の駆動トルク制御装置。
【発明の詳細な説明】
【技術分野】
【０００１】
本発明は、左右の駆動輪に駆動トルク差をつけるヨーモーメント制御と、駆動輪スリップを抑えるトラクション制御と、を行う車両の駆動トルク制御装置に関する。
【背景技術】
【０００２】
従来、インホイールモータ電気自動車において、４ＷＤ制御及びトラクション/ＡＢＳ相当制御を実現可能な駆動制御装置が知られている（例えば、特許文献１参照）。
【先行技術文献】
【特許文献】
【０００３】
【特許文献１】特開平１０−２９５００４号公報
【発明の概要】
【発明が解決しようとする課題】
【０００４】
しかしながら、例えば、インホイールモータ電気自動車のように、左右の駆動輪に駆動トルク差をつけるヨーモーメント制御を行う車両で、駆動輪スリップを抑えるトラクション制御（以下、「TCS」という。）を行うものとする。そして、TCSを作動する際、TCS作動閾値及びTCS制御目標値（いずれもスリップ量やスリップ率等のスリップ相当値）が、左右駆動トルク差がある時と無い時で同じ値とする。この場合、左右駆動トルク差が無い走行状態でTCSが作動した時よりも、左右駆動トルク差がある走行状態でTCSが作動した時の方が、車両挙動が乱れやすい、という問題があった。
【０００５】
本発明は、上記問題に着目してなされたもので、ヨーモーメント制御からトラクション制御へ移行するとき、車両挙動の安定化を確保する車両の駆動トルク制御装置を提供することを目的とする。
【課題を解決するための手段】
【０００６】
上記目的を達成するため、本発明の車両の駆動トルク制御装置は、左右の駆動輪へ伝達される駆動トルクを異ならせることが可能な駆動系を有し、ヨーモーメント制御手段と、トラクション制御手段と、を備える。
ヨーモーメント制御手段は、左右の駆動輪への駆動トルクに差をつけて車両挙動をコントロールする。
トラクション制御手段は、左右の駆動輪の一方にスリップが発生し、実スリップ値がTCS作動閾値以上であると判定されると、実スリップ値がTCS制御目標値に収束するように駆動輪への駆動トルクを低減する制御を開始する。
この車両の駆動トルク制御装置において、トラクション制御手段は、左右駆動トルク差によるヨーモーメント制御中、又は、左右駆動トルク差によるヨーモーメント制御中にスリップが発生した際に、TCS作動閾値及びTCS制御目標値を、左右駆動トルク差がゼロの時の値よりも小さな値にする。
【発明の効果】
【０００７】
よって、左右駆動トルク差によるヨーモーメント制御中、又は、左右駆動トルク差によるヨーモーメント制御中にスリップが発生した際に、TCS作動閾値及びTCS制御目標値が、左右駆動トルク差がゼロの時の値よりも小さな値にされる。
例えば、左右駆動トルク差がある時、左右駆動トルク差が無い時のTCS作動閾値及びTCS制御目標値を用いる場合、アクセル踏み増し操作により駆動輪スリップが発生すると、スリップが十分に進行してからトラクション制御に移行する。このため、大きな駆動輪スリップの発生を許すことになり、車両挙動が不安定になる。
これに対し、左右駆動トルク差がある時には、左右駆動トルク差が無い時のTCS作動閾値及びTCS制御目標値より小さい値にされる。このため、ヨーモーメント制御中にアクセル踏み増し介入がある等により駆動輪にスリップが発生すると、応答良くTCS作動条件が成立し、不要なスリップを発生させないでトラクション制御が開始される。このため、駆動輪スリップが速やかに抑えられ、車両挙動の安定性が確保される。
この結果、ヨーモーメント制御からトラクション制御へ移行するとき、車両挙動の安定化を確保することができる。
【図面の簡単な説明】
【０００８】
【図１】実施例１の駆動トルク制御装置が適用されたインホイールモータ電気自動車を示す概略システム図である。
【図２】実施例１のモータコントローラの制御構成を示す制御系ブロック図である。
【図３】実施例１のモータコントローラで実行される駆動トルク制御処理の流れを示すフローチャートである。
【図４】比較例において基本駆動が一定の通常走行時のスリップ量・第一指令トルク・第三指令トルクの各特性を示すタイムチャートである。
【図５】比較例においてトルクホールドによるヨーモーメント制御中にアクセル踏み増しによる加速要求が介入する時のスリップ量・第一指令トルク・第三指令トルクの各特性を示すタイムチャートである。
【図６】実施例１においてトルクホールドによるヨーモーメント制御中にアクセル踏み増しによる加速要求が介入する時のスリップ量・第一指令トルク・第二指令トルクFBトルクダウン・第三指令トルクの各特性を示すタイムチャートである。
【発明を実施するための形態】
【０００９】
以下、本発明の車両の駆動トルク制御装置を実現する最良の形態を、図面に示す実施例１に基づいて説明する。
【実施例１】
【００１０】
まず、構成を説明する。
実施例１における車両の駆動トルク制御装置の構成を、［全体システム構成］、［駆動トルク制御のブロック構成］、［駆動トルク制御処理構成］に分けて説明する。
【００１１】
［全体システム構成］
図１は、実施例１の駆動トルク制御装置Ａが適用されたインホイールモータ電気自動車を示す。以下、図１に基づき、全体システム構成を説明する。
【００１２】
実施例１の駆動トルク制御装置Ａが適用された車両は、左右後輪を駆動輪５Ｌ，５Ｒとし、左右前輪を従動輪とする後輪駆動によるインホイールモータ電気自動車である。
【００１３】
前記駆動トルク制御装置Ａは、図１に示すように、ビークルコントロールモジュール１（ヨーモーメント制御手段）と、モータコントローラ２（トラクション制御手段）と、インバータ３Ｌ，３Ｒと、インホイールモータ４Ｌ，４Ｒと、駆動輪５Ｌ，５Ｒと、を備えている。
【００１４】
前記ビークルコントロールモジュール１は、所定の入力情報に基づき、左右の駆動輪５Ｌ，５Ｒの駆動トルクに差をつけて車両挙動をコントロールするヨーモーメント制御（DYC）を行う。具体的なヨーモーメント制御としては、操舵応答制御、横風対応制御、加減速対応制御、定常横加速対応制御、等がある。ビークルコントロールモジュール１には、左前輪速センサ１１、右前輪速センサ１２、左後輪速センサ１３、右後輪速センサ１４、操作角センサ１５、ヨーレートセンサ１６、横Ｇセンサ１７、前後Ｇセンサ１８、アクセル開度センサ１９等から信号が入力される。そして、モータコントローラ２からの取得情報により、ヨーモーメント制御中にスリップ量が、スリップ予備判定閾値Jmを超えたら左右の駆動トルク差の増加を止めて一定の駆動トルク差を保つ。この駆動トルク差一定状態でスリップ量がスリップ判定閾値Jp（＞Jm）を超えたら左右の駆動トルク差の低減を開始する。また、モータコントローラ２とは、ＣＡＮ通信線６により接続されていて、スリップ量情報などを双方向に交換可能としている。なお、実スリップ値として用いているスリップ量に代えてスリップ率としても良い。
【００１５】
前記モータコントローラ２は、ヨーモーメント制御中でないとき、左右駆動輪にスリップが発生し、スリップ量がTCS作動閾値以上であると判定されると、スリップ量がTCS制御目標値に収束するように左右駆動輪への駆動トルクを低減する制御（＝TCS制御）を開始する。ここで、「TCS作動閾値」は、ヨーモーメント制御側の「スリップ判定閾値Jp」より大きな値に設定されている。また、「TCS制御目標値」は、TCS作動閾値より小さい一定値に設定されている。一方、左右駆動トルク差によるヨーモーメント制御中に駆動スリップが発生し、スリップ量がスリップ判定閾値Jpを超えると、スリップ量がTCS作動閾値を超えるのを待つことなく、ヨーモーメント制御対応のトラクション制御を開始する（図２）。このモータコントローラ２には、ビークルコントロールモジュール１からヨーモーメント制御の最終目標値（右輪第一指令トルク、左輪第一指令トルク）や各センサ情報が取得される。また、インホイールモータ４Ｌ，４Ｒに設けられたレゾルバ７Ｌ，７Ｒからのモータ回転数信号を入力する。そして、インバータ３Ｌ，３Ｒに対して左輪最終指令トルクと右輪最終指令トルクをそれぞれ出力する。
【００１６】
前記インバータ３Ｌ，３Ｒは、モータコントローラ２からの右輪最終指令トルクと左輪最終指令トルクに基づき、力行時、車載のバッテリ８からの直流を三相交流に変換し、インホイールモータ４へ駆動出力する。また、回生時、インホイールモータ４からの三相交流を直流に変換し、車載のバッテリ８を充電する。
【００１７】
前記インホイールモータ４Ｌ，４Ｒは、左右の駆動輪５Ｌ，５Ｒのそれぞれに独立して設けられていて、左右の駆動輪５Ｌ，５Ｒへ伝達される駆動トルクを異ならせることが可能な駆動系を構成している。
【００１８】
［駆動トルク制御のブロック構成］
図２は、実施例１のモータコントローラ２の制御構成を示す。以下、図２に基づき、駆動トルク制御のブロック構成を説明する。
【００１９】
前記モータコントローラ２は、図２に示すように、駆動輪速演算部２ａと、車体速演算部２ｂと、スリップ量計算部２ｃと、スリップ判定部２ｄと、TCS作動閾値決定部２ｅと、左右輪指令トルク演算部２ｆと、TCS制御目標値決定部２ｇと、を備えている。そして、FB制御動作部２ｈと、FB制御安定化フラグ生成部２ｉと、ドライバ期待トルク到達フラグ生成部２ｊと、TCS制御目標値傾き決定部２ｋと、を備えている。
【００２０】
前記駆動輪速演算部２ａは、レゾルバ７Ｌ，７Ｒからのモータ回転数情報に基づき、駆動輪速を演算し、スリップ量計算部２ｃへ出力する。
【００２１】
前記車体速演算部２ｂは、車輪速センサ１１，１２，１３，１４からの車輪速値と前後Ｇセンサ１８からの入力情報に基づき、車体速を演算し、スリップ量計算部２ｃへ出力する。
【００２２】
前記スリップ量計算部２ｃは、駆動輪速演算部２ａからの駆動輪速と車体速演算部２ｂからの車体速の速度差によりスリップ量を計算し、スリップ判定部２ｄへ出力する。
【００２３】
前記スリップ判定部２ｄは、スリップ量計算部２ｃからのスリップ量が、スリップ判定閾値Jpを超えたか否かを判定する。スリップ判定部２ｄでスリップ量がスリップ判定閾値Jpを超えたと判定されると、その判定結果を、TCS作動閾値決定部２ｅと左右輪指令トルク演算部２ｆに出力する。
【００２４】
前記TCS作動閾値決定部２ｅは、スリップ判定部２ｄからスリップ量がスリップ判定閾値Jpを超えたとの判定結果を受けると、ヨーモーメント制御側に設定されているスリップ判定閾値Jpを、ヨーモーメント制御中のTCS作動閾値として決定する。ヨーモーメント非制御中のTCS作動閾値より小さな値のスリップ判定閾値Jpが、TCS制御を開始するTCS作動閾値に決定されると、その決定結果とスリップ量を、TCS制御目標値決定部２ｇとFB制御動作部２ｈに出力する。
【００２５】
前記左右輪指令トルク演算部２ｆは、スリップ判定部２ｄからスリップ量がスリップ判定閾値Jpを超えたとの判定結果を受けると、右輪第一指令トルクと左輪第一指令トルクとドライバ期待トルクに基づき、トルク差の無い左右輪指令トルクを演算し、FB制御動作部２ｈに出力する。FB制御動作部２ｈでは、トルク差の無い左右輪指令トルクを、FB制御の開始トルク（FBスタートトルク）とする。
ここで、FBスタートトルクは、下記のように決める。
(a) ドライバ期待トルク＞第一指令トルク（左右両方）
→左右それぞれのトルクを高い方のトルクと同等にする。
(b) ドライバ期待トルク＜第一指令トルク（左右両方）
→左右それぞれのトルクをドライバ期待トルクと同等にする。
(c) 右（左）第一指令トルク＜ドライバ期待トルク＜左（右）第一指令トルク
→左右それぞれのトルクをドライバ期待トルクと同等にする。
【００２６】
前記TCS制御目標値決定部２ｇは、TCS作動閾値決定部２ｅからスリップ判定閾値JpをTCS作動閾値にしたとの決定結果を入力すると、TCS制御目標値として、スリップ判定閾値Jpより低く下げた初期目標値への変更を決定する。そして、ドライバ期待トルク到達フラグ生成部２ｊやTCS制御目標値傾き決定部２ｋからの入力に基づき、TCS制御目標値の変更を決定し、決定したTCS制御目標値をFB制御動作部２ｈへ出力する。
【００２７】
前記FB制御動作部２ｈは、TCS作動閾値決定部２ｅからスリップ判定閾値JpをTCS作動閾値にしたとの決定結果と、TCS制御目標値決定部２ｇから変更したTCS制御目標値を入力すると、実スリップ量とTCS制御目標値との偏差に基づくフィードバック制御によりFBトルクダウン分（第二指令トルク）を算出する。そして、左右輪指令トルク演算部２ｆによる第一指令トルクから第二指令トルクを減算することで、第三指令トルク（左右同等の左輪最終指令トルク、右輪最終指令トルク）を計算し、インバータ３Ｌ，３Ｒへ出力する。
【００２８】
前記FB制御安定化フラグ生成部２ｉは、FB制御動作部２ｈによりFB制御動作が開始されると、FB制御が安定したか否かを判断し、FB制御が安定したと判断されると、FB制御安定化フラグを生成し、左右輪指令トルク演算部２ｆに出力する。なお、左右輪指令トルク演算部２ｆでは、FB制御安定化フラグを受けて、第一指令トルクを、開始トルクからドライバ期待トルク（アクセル開度に応じたトルク）まで高める。
【００２９】
前記ドライバ期待トルク到達フラグ生成部２ｊは、第一指令トルクがドライバ期待トルクに到達すると、ドライバ期待トルク到達フラグを生成し、TCS制御目標値決定部２ｇとTCS制御目標値傾き決定部２ｋへ出力する。
【００３０】
前記TCS制御目標値傾き決定部２ｋは、ドライバ期待トルク到達フラグを受けると、路面摩擦係数に基づき、初期目標値からトルク差の無い時のTCS制御目標値に向かって上げる上昇勾配の傾きを決定し、TCS制御目標値決定部２ｇへ出力する。TCS制御目標値決定部２ｇでは、生成されたドライバ期待トルク到達フラグと決定された傾きを受けると、ドライバ期待トルク到達フラグが生成されるまで初期目標値を維持する。そして、ドライバ期待トルク到達フラグが生成されると、初期目標値からトルク差の無い時のTCS制御目標値に向かって、路面摩擦係数や初期目標値とTCS制御目標値の乖離幅等により決定された傾きにてTCS制御目標値を上昇させる。
【００３１】
なお、インホイールモータ４Ｌと駆動輪５Ｌの間には、減速ギア列９Ｌを有し、インホイールモータ４Ｒと駆動輪５Ｒの間には、減速ギア列９Ｒを有する。
【００３２】
［駆動トルク制御処理構成］
図３は、実施例１のモータコントローラ２で実行される駆動トルク制御処理の流れを示す（トラクション制御手段）。以下、駆動トルク制御処理構成をあらわす図３の各ステップについて説明する。なお、この処理は、左右駆動トルク差によるヨーモーメント制御中に実行される。
【００３３】
ステップＳ１では、回転情報、操舵角、ヨーレート、横Ｇ、前後Ｇ、アクセル開度などの入力データ処理を行い、ステップＳ２へ進む。
【００３４】
ステップＳ２では、ステップＳ１での入力データ処理に続き、スリップ量（＝駆動輪速−車体速）の演算を行い、ステップＳ３へ進む。
【００３５】
ステップＳ３では、ステップＳ２でのスリップ量演算に続き、スリップ量が、スリップ判定閾値Jp以上であるか否かを判定する。YES（スリップ量≧スリップ判定閾値Jp）の場合はステップＳ４へ進み、NO（スリップ量＜スリップ判定閾値Jp）の場合はステップＳ１へ戻る。
【００３６】
ステップＳ４では、ステップＳ３でのスリップ量≧スリップ判定閾値Jp、つまり、ヨーモーメント制御において左右駆動トルク差を解除するとの判定に続き、左右駆動トルク差をゼロとする左右輪指令トルク（第一指令トルク）を演算し、ステップＳ５へ進む。
ここで、左右輪指令トルクは、右輪トルク＞左輪トルクのときは、左輪トルクを右輪トルクと同じトルクまで上げて右輪トルク＝左輪トルクとする。右輪トルク＜左輪トルクのときは、右輪トルクを左輪トルクと同じトルクまで上げて右輪トルク＝左輪トルクとする。
【００３７】
ステップＳ５では、ステップＳ４での左右輪指令トルクの演算に続き、左右駆動トルク差によるヨーモーメント制御のトルク差解除閾値であるスリップ判定閾値Jpを、TCS作動閾値とする決定をし、ステップＳ６へ進む。
すなわち、ヨーモーメント制御側に設定されているスリップ判定閾値Jpを、そのままTCS制御を開始するTCS作動閾値（左輪開始閾値Jp又は右輪開始閾値Jp）としている。
【００３８】
ステップＳ６では、ステップＳ５でのTCS作動閾値の決定に続き、TCS制御目標値の初期目標値を決定し、ステップＳ７へ進む。
ここで、初期目標値は、スリップ判定閾値Jpから、さらに所定のオフセット値を差し引いた値とする。
【００３９】
ステップＳ７では、ステップＳ６での初期目標値の決定に続き、実スリップ量とTCS制御目標値（初期目標値）との偏差に基づくフィードバック制御によりFBトルクダウン分（第二指令トルク）を算出するFB制御動作を開始し、ステップＳ８へ進む。
【００４０】
ステップＳ８では、ステップＳ７でのFB制御動作開始、或いは、ステップＳ９でのFB制御安定化フラグ＝０であるとの判断に続き、FB制御安定化フラグを生成し、ステップＳ９へ進む。
ここで、FB制御安定化フラグは、実スリップ値が、初期目標値から±オフセット値の範囲内であり、かつ、範囲内に値がある状態が所定時間以上継続したとき（積分項≧所定値）、FB制御安定化フラグ＝０からFB制御安定化フラグ＝１に書き替えられる。
【００４１】
ステップＳ９では、ステップＳ８でのFB制御安定化フラグの生成に続き、FB制御安定化フラグ＝１であるか否かを判断する。YES（FB制御安定化フラグ＝１）の場合はステップＳ１０へ進み、NO（FB制御安定化フラグ＝０）の場合はステップＳ８へ戻る。
【００４２】
ステップＳ１０では、ステップＳ９でのFB制御安定化フラグ＝１であるとの判断に続き、ステップＳ５で演算した左右輪指令トルク（第一指令トルク）の上昇を開始し、ステップＳ１１へ進む。
ここで、第一指令トルクを上昇する際、レート・リミッタ（傾き制限）をかけることで徐々に上昇させる。
【００４３】
ステップＳ１１では、ステップＳ１０での第一指令トルクの上昇に続き、ドライバ期待トルク到達フラグを生成し、ステップＳ１２へ進む。
ここで、ドライバ期待トルク到達フラグは、左輪トルクと右輪トルクが、アクセル開度トルクであるドライバ期待トルクに到達すると、ドライバ期待トルク到達フラグ＝０からドライバ期待トルク到達フラグ＝１に書き替えられる。
【００４４】
ステップＳ１２では、ステップＳ１１でのドライバ期待トルク到達フラグの生成に続き、ドライバ期待トルク到達フラグ＝１か否かを判断する。YES（ドライバ期待トルク到達フラグ＝１）の場合はステップＳ１３へ進み、NO（ドライバ期待トルク到達フラグ＝０）の場合はステップＳ１１へ戻る。
【００４５】
ステップＳ１３では、ステップＳ１２でのドライバ期待トルク到達フラグ＝１であるとの判断に続き、TCS制御目標値を上昇させる傾きを決定し、ステップＳ１４へ進む。
ここで、TCS制御目標値を上昇させる傾きは、路面μに応じて最大許容可能なスリップ量（例えば、駆動トルク差が無い時のTCS制御目標値）に向け、ステップＳ６にて決定した初期目標値からの上昇勾配に制限をかける。つまり、路面μが低μ路を示すときは、上昇傾きとして緩やかな傾きとし、路面μが高μ路を示すほど、上昇傾きを急な傾きにする。
【００４６】
ステップＳ１４では、ステップＳ１３でのTCS制御目標値の上昇傾きの決定に続き、TCS制御目標値を決定された傾きにより上昇させ、ステップＳ１５へ進む。
【００４７】
ステップＳ１５では、ステップＳ１４でのTCS制御目標値の上昇に続き、TCS制御目標値が、許容する目標値（例えば、駆動トルク差が無い時のTCS制御目標値）に到達したか否かを判断する。YES（TCS制御目標値が許容目標値へ到達）の場合は終了へ進み、NO（TCS制御目標値が許容目標値へ未到達）の場合はステップＳ１４へ戻る。
【００４８】
次に、作用を説明する。
実施例１のインホイールモータ電気自動車の駆動トルク制御装置Ａにおける作用を、［比較例の課題］、［駆動トルク制御の全体作用］、［駆動トルク制御の特徴作用］に分けて説明する。
【００４９】
［比較例の課題］
まず、左右駆動トルク差によるヨーモーメント制御中、又は、左右駆動トルク差によるヨーモーメント制御中にスリップが発生した際に、TCS作動閾値及びTCS制御目標値を、ヨーモーメント非制御中の値のまま変えないものを比較例とする。
【００５０】
図４は、比較例において基本駆動が一定の通常走行時のタイムチャートである。この図４に基づき、比較例での通常走行時の駆動トルク制御作用を説明する。
図４において、時刻t1はヨーモーメント制御の開始時刻、時刻t2はスリップ量がスリップ予備判定閾値Jmに到達した時刻、時刻t3はスリップ量がスリップ判定閾値Jpに到達した時刻、時刻t4はヨーモーメント制御の終了時刻、時刻t5は駆動スリップの収束時刻である。
【００５１】
時刻t1にてヨーモーメント制御が開始されると、時刻t2にてスリップ量がスリップ予備判定閾値Jmに達することで、第一指令トルクにトルクリミットが作動し、その後、左右輪指令トルクのトルク差が一定に保たれる。その後、時刻t3にて、スリップ量がスリップ判定閾値Jp（＞Jm）に到達すると、左右輪指令トルクのうち、高い方のトルクをドライバ期待トルクに向かって低下させ、低い方のトルクをドライバ期待トルクに向かって上昇させる。これにより、時刻t4になると、第一指令トルクはドライバ期待トルクに統一されてそのまま維持される。そして、スリップ量については、スリップ判定閾値Jpになる時刻t3からは、駆動スリップが発生した高い方のトルクをドライバ期待トルクに向かって低下させているため、時刻t5にてスリップ量が収束する。すなわち、通常走行時は、スリップ量がスリップ判定閾値Jpになったことを検知した後、ヨーモーメント制御のトルク差をゼロにすることで、滑りが無くなり通常制御に戻る。
【００５２】
図５は、比較例においてトルクホールドによるヨーモーメント制御中にアクセル踏み増しによる加速要求が介入する時のタイムチャートである。この図５に基づき、比較例での加速要求介入時における駆動トルク制御作用を説明する。
【００５３】
図５において、時刻t1はヨーモーメント制御の開始時刻、時刻t2はスリップ量がスリップ予備判定閾値Jmに到達した時刻、時刻t3はアクセル踏み増し時刻、時刻t4はスリップ量がスリップ判定閾値Jpに到達した時刻、時刻t5はTCS作動開始時刻、時刻t6はスリップ量ピーク時刻、時刻t7はTCS制御によるスリップ収束時刻である。
【００５４】
時刻t1にてヨーモーメント制御が開始されると、時刻t2にてスリップ量がスリップ予備判定閾値Jmに達することで、第一指令トルクにトルクリミットが作動し、その後、左右輪指令トルクのトルク差が一定に保たれる。その後、時刻t3にてアクセル踏み増し操作が行われると、ドライバ期待トルクは、アクセル踏み増し操作に伴って上昇する。そして、時刻t4にて、スリップ量がスリップ判定閾値Jp（＞Jm）に到達すると、トルクの制限値の急な開放により、左右輪指令トルクがドライバ期待トルクに向かって急上昇する。このトルク急上昇により多大なスリップが発生し、時刻t5になってスリップ量がTCS作動閾値を超えると、TCS制御が開始されるものの、スリップ量はオーバーシュートにより時刻t6でピークに到達する。そして、時刻t6を過ぎると、TCS制御目標値に向かってスリップ量は徐々に低下していき、時刻t7にてスリップ量がTCS制御目標値に収束する。すなわち、図５の矢印Ｂで囲んだように、トルクホールドによるヨーモーメント制御中にアクセル踏み増しによる加速要求が介入すると、トルクの急な開放により多大なスリップを発生させる原因になる。
【００５５】
［駆動トルク制御の全体作用］
まず、図３に示すフローチャートに基づき、駆動トルク制御の全体作用を説明する。
左右駆動トルク差によるヨーモーメント制御が開始されると、図３のフローチャートにおいて、ステップＳ１→ステップＳ２→ステップＳ３へと進む。ステップＳ２では、スリップ量（＝駆動輪速−車体速）の演算が行われ、ステップＳ３では、ステップＳ２で演算されたスリップ量が、スリップ判定閾値Jp以上であるか否かが判定される。このステップＳ３にてスリップ量＜スリップ判定閾値Jpであると判定されている間は、ステップＳ１→ステップＳ２→ステップＳ３へと進む流れが繰り返される。
【００５６】
一方、ステップＳ３にてスリップ量≧スリップ判定閾値Jpと判定されると、ステップＳ３からステップＳ４→ステップＳ５→ステップＳ６→ステップＳ７へと進む。ステップＳ４では、左右輪指令トルク（第一指令トルク）として、ドライバ期待トルクではなく、左右輪のうち、高い方のトルクに統一した第一指令トルクが演算され、この第一指令トルクがFB制御動作での開始トルクとされる。ステップＳ５では、スリップ判定閾値Jpが、TCS制御を開始するTCS作動閾値として決定される。ステップＳ６では、TCS制御目標値の初期目標値が、スリップ判定閾値Jpからオフセット値を差し引いた値により決定される。ステップＳ７では、実スリップ量とTCS制御目標値（初期目標値）との偏差に基づくフィードバック制御によりFBトルクダウン分（第二指令トルク）を算出するFB制御動作が開始される。
【００５７】
FB制御動作が開始されると、ステップＳ７からステップＳ８→ステップＳ９へ進む。ステップＳ８では、FB制御安定化フラグが生成され、ステップＳ９では、FB制御安定化フラグ＝１であるか否かが判断される。FB制御安定化フラグ＝０である間は、ステップＳ８→ステップＳ９へと進む流れが繰り返される。そして、FB制御安定化フラグ＝１になると、ステップＳ９からステップＳ１０へ進み、ステップＳ１０では、ステップＳ５で演算した左右輪指令トルク（第一指令トルク）にレート・リミッタをかけた上昇が開始される。
【００５８】
第一指令トルクの上昇が開始されると、次のステップＳ１１では、ドライバ期待トルク到達フラグが生成され、ステップＳ１２では、ドライバ期待トルク到達フラグ＝１か否かが判断される。そして、左輪トルクと右輪トルクがドライバ期待トルクに到達し、ドライバ期待トルク到達フラグが、“０”から“１”に書き替えられると、ステップＳ１２からステップＳ１３→ステップＳ１４→ステップＳ１５へ進む。ステップＳ１３では、TCS制御目標値の上昇傾きが決定され、次のステップＳ１４では、ステップＳ６での初期目標値を決定された上昇傾きにより上昇させる。そして、ステップＳ１５では、初期目標値が、許容するTCS制御目標値に到達したか否かが判断される。初期目標値が許容するTCS制御目標値へ未到達の場合は、ステップＳ１４→ステップＳ１５へと進む流れが繰り返される。そして、TCS制御目標値が許容するTCS制御目標値へ到達すると、ヨーモーメント制御介入対応のトラクション制御を終了する。
【００５９】
図６は、トルクホールドによるヨーモーメント制御中にアクセル踏み増しによる加速要求が介入する時のタイムチャートである。この図６に基づき、実施例１での加速要求介入時における駆動トルク制御作用を説明する。
【００６０】
図６において、時刻t1はヨーモーメント制御の開始時刻、時刻t2はスリップ量がスリップ予備判定閾値Jmに到達した時刻、時刻t3はアクセル踏み増し時刻、時刻t4はスリップ量がスリップ判定閾値Jpに到達した時刻（＝TCS作動開始時刻）である。時刻t5はFB制御安定化フラグの生成時刻、時刻t6はドライバ期待トルク到達フラグの生成時刻、時刻t7は許容するTCS制御目標値への到達時刻である。
【００６１】
時刻t1にてヨーモーメント制御が開始されると、時刻t2にてスリップ量がスリップ予備判定閾値Jmに達することで、第一指令トルクにトルクリミットが作動し、その後、左右輪指令トルクのトルク差が一定に保たれる。その後、時刻t3にてアクセル踏み増し操作が行われると、ドライバ期待トルクは、アクセル踏み増し操作に伴って上昇する。そして、時刻t4にて、スリップ量がスリップ判定閾値Jpに到達すると、トルク差制御が解除され、第一指令トルクは、左右駆動輪のうち高い方のトルクに統一され、FB制御安定化フラグの生成時刻t5まで維持される。
【００６２】
この時刻t4では、図６の矢印Ｃに示すように、トラクション制御を開始するTCS作動閾値が、左右駆動トルク差が無い時の値（TCS制御目標値よりも高い値）から、TCS制御目標値よりも低いスリップ判定閾値Jpに切り替えられる。同時に、時刻t4では、図６の矢印Ｄに示すように、そして、TCS制御目標値の初期目標値が、スリップ判定閾値Jpよりさらに小さい値に切り替えられる。そして、実スリップ量とTCS制御目標値の初期目標値を用いてトラクション制御が開始され、第二指令トルク（FBトルクダウン分）が演算され、第一指令トルクから第二指令トルクを差し引く演算により、第三指令トルク（最終指令トルク）が得られる。そして、トラクション制御が開始される時刻t4より少し遅れて実スリップ量が初期目標値に収束し、その後、初期目標値に沿って実スリップ量が推移する。
【００６３】
その後、FB制御安定化フラグ生成時刻t5になると、FB制御の開始トルクとして維持されていた第一指令トルクの上昇が開始される。そして、時刻t5になると、第一指令トルクの上昇に符合して第二指令トルク（FBトルクダウン分）の低下を開始し、時刻t5から時刻t6まで第三指令トルク（最終指令トルク）を一定に保つ。さらに、第一指令トルクの上昇によりドライバ期待トルクに到達する時刻t6になると、第一指令トルクは、ドライバ期待トルクに沿ったトルクに保たれる。そして、時刻t6になると、TCS制御目標値が、時刻t4から時刻t6までの初期目標値から決定された上昇傾きにより上昇する。このTCS制御目標値の上昇に符合して第二指令トルク（FBトルクダウン分）が上昇を開始し、時刻t6から時刻t7まで第三指令トルク（最終指令トルク）を上昇させる。その後、許容するTCS制御目標値への到達時刻t7になると、それ以降は、TCS制御目標値が一定に保たれ、第一指令トルク（＝ドライバ期待トルク）も一定に保たれ、第二指令トルク（FBトルクダウン分）も一定に保たれる。この結果、第三指令トルク（最終指令トルク）は、ドライバ期待トルクからFBトルクダウン分を差し引いた値にて一定に保たれる。
【００６４】
すなわち、図６のハッチングＥで示すスリップ量領域が、トルクホールドによるヨーモーメント制御中にアクセル踏み増しによる加速要求が介入するときの、比較例に対するスリップ量の低減代になり、スリップ量の発生が抑えられる。
【００６５】
［駆動トルク制御の特徴作用］
実施例１では、左右駆動トルク差によるヨーモーメント制御中、スリップが発生してスリップ量がスリップ判定閾値Jp以上になると（図６の時刻t4）、TCS作動閾値及びTCS制御目標値を、左右駆動トルク差がゼロの時の値よりも小さな値にする構成とした。
例えば、左右駆動トルク差がある時、左右駆動トルク差が無い時のTCS作動閾値及びTCS制御目標値を用いる場合、アクセル踏み増し操作により駆動輪スリップが発生すると、スリップが十分に進行してからトラクション制御に移行する。このため、大きな駆動輪スリップの発生を許すことになり、車両挙動が不安定になる（図５）。
これに対し、左右駆動トルク差がある時には、左右駆動トルク差が無い時のTCS作動閾値及びTCS制御目標値より小さい値を用いる（図６の矢印Ｃ、矢印Ｄ）。このため、ヨーモーメント制御中にアクセル踏み増し介入がある等により駆動輪５Ｌ，５Ｒにスリップが発生すると、応答良くTCS作動条件が成立し、不要なスリップを発生させないでトラクション制御が開始される。このため、駆動輪スリップが速やかに抑えられ、車両挙動の安定性が確保される。この結果、ヨーモーメント制御からトラクション制御へ移行するとき、車両挙動の安定化を確保することができる。
【００６６】
実施例１では、トラクション制御を開始するTCS作動閾値を、左右駆動トルク差を解除する閾値としてヨーモーメント制御側で設定されたスリップ判定閾値Jpにする構成とした。
すなわち、TCS作動閾値を、ヨーモーメント制御側のスリップ判定閾値Jpとしたため、ヨーモーメント制御側で左右駆動トルク差の解除を開始するタイミングに合わせて、待ち時間無くトラクション制御が開始される。
したがって、左右駆動トルク差によるヨーモーメント制御中にスリップが発生すると、左右駆動トルク差の解除と同時に開始されるトラクション制御により応答遅れなくスリップを抑制できる。
【００６７】
実施例１では、ヨーモーメント制御中にドライバによるアクセル踏み増し介入により駆動輪スリップが判定されると、左輪指令トルクと右輪指令トルクのうち低い方のトルクを高い方のトルクまで高める。そして、トルク差の無い左右輪指令トルクをトラクション制御の開始トルクとする構成とした。
すなわち、ドライバのアクセル操作によるアクセル開度に応じた目標駆動トルクをドライバ期待トルクというとき、ドライバ期待トルクを観察しながら、現在出力トルクがドライバ期待トルクに近い側のトルクに両方統一される。
したがって、トラクション制御の開始トルクをより早くドライバ期待トルクに近づかせることで、ドライバの違和感を無くすことができると共に、不要なスリップを発生させることなく他の制御へ移行することができる。
【００６８】
実施例１では、TCS制御目標値として、TCS作動閾値より低く下げた値を初期目標値とし、左右輪指令トルクが、ドライバ期待トルクに到達するまで初期目標値を保持する。そして、ドライバ期待トルクに到達すると、初期目標値から許容可能なTCS制御目標値に向かって上げる構成とした。
すなわち、トラクション制御での初期目標値を、一旦、TCS作動閾値より低く下げて保持し、左右輪指令トルクが、ドライバ期待トルクに到達すると、徐々に上昇させるようにした。このように、初期目標値を、一旦、TCS作動閾値より低く下げることで、FB系の安定化が図られると共に、いち早く滑りを発生させないでトラクション制御に移行することが可能になる。
したがって、トラクション制御でのFB系の安定化を図ることができると共に、大きなスリップの発生を確実に抑えることができる。
【００６９】
実施例１では、左右輪指令トルクとして、フィードバック制御の開始から制御安定化が確認されるまで開始トルクを維持し、フィードバック制御の安定化が確認されたら、開始トルクからドライバ期待トルクまで高める構成とした。
すなわち、FB系の安定化を確認した後、左右輪指令トルクをドライバ期待トルクに向けて徐々に上昇させる制御が行われる。
したがって、フィードバック制御の開始から制御安定化が確認されるまで開始トルクを維持することで、スリップを発生させないで、スリップ量が初期目標値に追従するようなトラクション制御に移行することができる。
【００７０】
実施例１では、左右輪指令トルクを、開始トルクからドライバ期待トルクまで高めるときの上昇傾きを、路面摩擦係数が低いと緩勾配の傾きに決定し、路面摩擦係数が高くなるほど急勾配の傾きにする構成とした。
この構成により、低摩擦係数路では、左右輪指令トルクを上昇させることによるスリップの進行が抑制される。一方、スリップが発生し難い高摩擦係数路では、左右輪指令トルクを応答良くドライバ期待トルクまで高めることができる。
したがって、低摩擦係数路走行時、スリップ発生によるドライバに違和感を与えず、高摩擦係数路走行時、駆動トルクをより早くドライバ期待トルクに近づけることができる。
【００７１】
次に、効果を説明する。
実施例１のインホイールモータ電気自動車の駆動トルク制御装置Ａにあっては、下記に列挙する効果を得ることができる。
【００７２】
(1) 左右の駆動輪５Ｌ，５Ｒへ伝達される駆動トルクを異ならせることが可能な駆動系を有し、
左右の駆動輪５Ｌ，５Ｒへの駆動トルクに差をつけて車両挙動をコントロールするヨーモーメント制御手段（ビークルコントロールモジュール１）と、
左右の駆動輪５Ｌ，５Ｒの一方にスリップが発生し、実スリップ値がTCS作動閾値以上であると判定されると、実スリップ値がTCS制御目標値に収束するように駆動輪への駆動トルクを低減する制御を開始するトラクション制御手段（モータコントローラ２）と、
を備えた車両の駆動トルク制御装置Ａにおいて、
トラクション制御手段（モータコントローラ２）は、左右駆動トルク差によるヨーモーメント制御中、又は、左右駆動トルク差によるヨーモーメント制御中にスリップが発生した際に、TCS作動閾値及びTCS制御目標値を、左右駆動トルク差がゼロの時の値よりも小さな値にする。
このため、ヨーモーメント制御からトラクション制御へ移行するとき、車両挙動の安定化を確保することができる。
【００７３】
(2) トラクション制御手段（モータコントローラ２）は、ヨーモーメント制御中にスリップが発生した際にトラクション制御を開始するTCS作動閾値を、左右駆動トルク差を解除する閾値としてヨーモーメント制御側で設定されたスリップ判定閾値Jpにする。
このため、(1)の効果に加え、左右駆動トルク差によるヨーモーメント制御中にスリップが発生すると、左右駆動トルク差の解除と同時に開始されるトラクション制御により応答遅れなくスリップを抑制することができる。
【００７４】
(3) トラクション制御手段（モータコントローラ２）は、ヨーモーメント制御中にドライバによるアクセル踏み増し介入により駆動輪スリップが判定されると、左輪指令トルクと右輪指令トルクのうち低い方のトルクを高い方のトルクまで高め、トルク差の無い左右輪指令トルクをトラクション制御の開始トルクとする左右輪指令トルク演算部２ｆを有する。
このため、(1)又は(2)の効果に加え、トラクション制御の開始トルクをより早くドライバ期待トルクに近づかせることで、ドライバの違和感を無くすことができると共に、不要なスリップを発生させることなく他の制御へ移行することができる。
【００７５】
(4) ドライバのアクセル操作によるアクセル開度に応じた目標駆動トルクをドライバ期待トルクというとき、
トラクション制御手段（モータコントローラ２）は、TCS制御目標値として、TCS作動閾値より低く下げた値を初期目標値とし、左右輪指令トルクが、ドライバ期待トルクに到達するまで初期目標値を保持し、ドライバ期待トルクに到達すると、初期目標値から許容可能なTCS制御目標値に向かって上げるTCS制御目標値決定部２ｇを有する。
このため、(3)の効果に加え、TCS制御目標値として、TCS作動閾値より低く下げた値を初期目標値とすることで、トラクション制御でのFB系の安定化を図ることができると共に、大きなスリップの発生を確実に抑えることができる。
【００７６】
(5) トラクション制御手段（モータコントローラ２）は、実スリップ値とTCS制御目標値との偏差に基づくフィードバック制御によりFBトルクダウン分を算出するFB制御動作部２ｈを有し、
左右輪指令トルク演算部２ｆは、FBトルクダウン分を除いた左右輪指令トルクとして、フィードバック制御の開始から制御安定化が確認されるまで開始トルクを維持し、フィードバック制御の安定化が確認されたら、開始トルクからドライバ期待トルクまで高める。
このため、(3)又は(4)の効果に加え、制御安定化が確認されるまで開始トルクを維持することで、スリップを発生させないで、スリップ量が初期目標値に追従するようなトラクション制御に移行することができる。
【００７７】
(6) 左右輪指令トルク演算部２ｆは、左右輪指令トルクを、開始トルクからドライバ期待トルクまで高めるときの上昇傾きを、路面摩擦係数が低いと緩勾配の傾きに決定し、路面摩擦係数が高くなるほど急勾配の傾きにする。
このため、(5)の効果に加え、低摩擦係数路走行時、スリップ発生によりドライバに違和感を与えず、高摩擦係数路走行時、駆動トルクをより早くドライバ期待トルクに近づけることができる。
【００７８】
以上、本発明の車両の駆動トルク制御装置を実施例１に基づき説明してきたが、具体的な構成については、この実施例１に限られるものではなく、特許請求の範囲の各請求項に係る発明の要旨を逸脱しない限り、設計の変更や追加等は許容される。
【００７９】
実施例１では、トラクション制御手段として、左右駆動トルク差によるヨーモーメント制御中にスリップが発生した際に、TCS作動閾値を、ヨーモーメント制御側で設定されたスリップ判定閾値Jpにする例を示した。しかし、トラクション制御手段としては、TCS作動閾値を、左右駆動トルク差がゼロの時の値よりも小さな値にするものであれば、スリップ判定閾値Jpよりも高い値としても良い。
【００８０】
実施例１では、トラクション制御手段として、左右駆動トルク差によるヨーモーメント制御中にスリップが発生した際に、TCS制御目標値を、スリップ判定閾値Jpよりも小さな値にする例を示した。しかし、トラクション制御手段としては、TCS制御目標値を、左右駆動トルク差がゼロの時の値よりも小さな値にするものであれば、スリップ判定閾値Jpよりも大きな値としても良い。
【００８１】
実施例１では、トラクション制御手段として、TCS作動閾値及びTCS制御目標値の切り替えタイミングを、図６のタイムチャート中のスリップ量がスリップ判定閾値Jpに到達するタイミング（図６のt4）とする例を示した。しかし、トラクション制御手段としては、TCS作動閾値及びTCS制御目標値の切り替えタイミングを、図６のタイムチャート中の時刻t4より前であれば、ヨーモーメント制御開始時刻t1〜時刻t4までの何れのタイミングでも良い。つまり、ヨーモーメント制御開始から終了までのタイミングであれば、スリップ発生の有無にかかわらず、TCS作動閾値及びTCS制御目標値を小さな値に切り替えるタイミングとして良い。
【００８２】
実施例１では、トラクション制御において、スリップ値として、車輪速と車体速の差分によるスリップ量を用いる例を示した。しかし、スリップ値としては、車体速に対する車輪速と車体速の差分の比率によるスリップ率を用いる例としても良い。
【００８３】
実施例１では、本発明の駆動トルク制御装置を、後輪駆動のインホイールモータ電気自動車に適用する例を示した。しかし、本願発明の駆動トルク制御装置は、インホイールモータ電気自動車ばかりでなく、1つの駆動源からの駆動トルクをクラッチなどによって左右の駆動輪に配分する車両のように、左右駆動輪へ伝達される駆動トルクを異ならせることが可能な駆動系を有する車両に適用できる。また、車両としても、電気自動車に限ることなく、ヨーモーメント制御が可能なハイブリッド車やエンジン車等にも適用できる。
【符号の説明】
【００８４】
Ａ  駆動トルク制御装置
１  ビークルコントロールモジュール（ヨーモーメント制御手段）
２  モータコントローラ（トラクション制御手段）
２ａ  駆動輪速演算部
２ｂ  車体速演算部
２ｃ  スリップ量計算部
２ｄ  スリップ判定部
２ｅ  TCS作動閾値決定部
２ｆ  左右輪指令トルク演算部
２ｇ  TCS制御目標値決定部
２ｈ  FB制御動作部
２ｉ  FB制御安定化フラグ生成部
２ｊ  ドライバ期待トルク到達フラグ生成部
２ｋ  TCS制御目標値傾き決定部
３Ｌ，３Ｒ  インバータ
４Ｌ，４Ｒ  インホイールモータ
５Ｌ，５Ｒ  駆動輪
【図１】
2016111878.tif 000003
【図２】
2016111878.tif 000004
【図３】
2016111878.tif 000005
【図４】
2016111878.tif 000006
【図５】
2016111878.tif 000007
【図６】
2016111878.tif 000008